(57)【要約】      （修正有）【課題】味噌、ポテトサラダ、バター等の味噌状の固形物に突き刺し、回転し、ループ内の空間に溜めて運搬し鍋内で撹拌し取り出し、卵に対して突き刺し回転し、泡立てをする、エッジを聞かせて容器壁の対象物を掻き取ることが出来る、攪拌器を提供する。【解決手段】一本の線状材２の二端部を同じ向きにそろえた時、反対側に呈するループ４を複数重ね、ループは互いに交差箇所を有さず先端に向け接触しないように離れ、かつ、その枠内に対象物を置くことを妨げない形状に隣接させ、全体の開き具合は固形物に突き刺すことが可能な範囲の形状で、ループのそれぞれの先端点がほぼ一平面を示す長さに揃えられループの描く空間の最大幅付近を緩く角張らせ、複数重ねた端部に置かれたループがエッジを呈したことを特徴とする。【選択図】図１
0003221973.tif 000002
【実用新案登録請求の範囲】
【請求項１】
一本の線状材の二端部を同じ向きにそろえた時、反対側に呈するループを複数重ねて、前記ループは互いに交差箇所を有さず先端に向け接触しないように離れ、かつ、その枠内に対象物を置くことを妨げない形状に隣接させ、全体の開き具合は固形物に突き刺すことが可能な範囲の形状で、前記ループのそれぞれの先端点がほぼ一平面を示す長さに揃えられループの描く空間の最大幅付近を緩く角張らせ、前記の複数重ねた端部に置かれたループがエッジを呈したことを特徴とする撹拌部材と、複数のループ端部の線状材を束ねる箇所を持ち易い長さと堅さに加工した取って部を有することを特徴とする撹拌器。
【考案の詳細な説明】
【技術分野】
【０００１】  味噌、ポテトサラダ、バター等の味噌状の固形物に突き刺し、回転し、本考案のループ内の空間に溜めて運搬し鍋内で撹拌し取り出し、卵に対して突き刺し回転し、泡立てをし容器の壁部に対しエッジ効果を有する攪拌器に関する。
【背景技術】
【先行技術文献】
【０００２】  みそ用には、お玉型のみそ取り器と、ワイヤーが数本交差した撹拌器のセットで成る器具があり、卵用には前記形状の撹拌器があり、芋潰し用としてマッシャーがある。
【０００３】
【考案の概要】
【考案が解決しようとする課題】
【０００４】  先端が交差している撹拌器では、突く潰す等はやりにくく、エッジ箇所がなく掻き取ることには不向きだった。
先端の交差部でみその採取は不可能で、必然的にお玉型のすくい器と泡立て器のセットで行うことが不可欠となった。
撹拌器が卵を、従来のマッシャーは芋を対象とするが、突き刺すことに関してはやりにくかった。
【考案を解決するための手段】
【０００５】  一本の線状材の二端部を同じ向きにそろえた時、反対側に呈するループを複数重ねて、前記ループは互いに交差箇所を有さず先端に向け接触しないように離れ、かつ、その枠内に対象物を置くことを妨げない形状に隣接させ、全体の開き具合は固形物に突き刺すことが可能な範囲の形状で、前記ループのそれぞれの先端点がほぼ一平面を示す長さに揃えられループの描く空間の最大幅付近を緩く角張らせ、前記の複数重ねた端部に置かれたループがエッジを呈したことを特徴とする撹拌部材と、複数のループ端部の線状材を束ねる箇所を持ち易い長さと堅さに加工した取って部を有することを特徴とする。
【考案の効果】
【０００６】  イ）  先端が離れているので、突き刺しやすく卵や芋が潰しやすくなった。
ロ）  回転によりループ内の空間に対象物が入り、続けて運搬ができるようになった。
ハ）  運搬からそのまま鍋内で味噌をほぐし撹拌することが、切れ味よく簡単にできる        ようになった。
ニ）  卵や粉の撹拌等が切れ味よくできるようになった。
ホ）  泡立てが回転幅が狭くていいので、効果的に出来るようになった。
ヘ）  味噌容器の角にも届き、残り少ない味噌をエッジ効果でかき集めることが出来る        ようになった。
ト）  カップに閉じ込めればいちごを潰す、ゆで卵等も出来るようになった。
チ）  イチゴやバターを鍋内で潰しながら混ぜて潰せるようになった。
【図面の簡単な説明】
【０００７】
【図１】  平面図である。
【図２】  平面図と平面図である。
【図３】  斜視図である。
【図４】  斜視図である。
【考案を実施するための形態】
【実施例１】
【０００８】  以下、本考案の実施の形態を説明する。
図１で、構造並びに作り方について説明する。
ａは側面図で、攪拌部材（１）部分は、一本の線状材（２）の二端部を同じ向きに揃えた時呈するループ（４）を複数枚重ねた部分である。ループの二端部を束ね包みまとめた箇所を取って部（３）とする。あるいは二端部を別の線状材で巻いて取って部にしても構わない。
ｂは正面図で、ループは互いに交差箇所を有さずループの頂点（５）に向け接触しないように離れ、ループ内に対象物を入れることを妨げない形状に隣接させる。一つの空間が生じる。線状材の全体の開き具合は対象物に突き刺すことが可能な範囲（６）とする。ループのそれぞれの頂点がほぼ一平面（７）を示す長さに揃える。頂点の位置の差異は、同一大のループを同じ長さで束ねたのちに先端を開くような製造方法や製造機械の性質、デザイン的な意味合いで生じる場合等があるが、長さの差が対象物に差し込みにくい、取りにくくならない範囲内に押さえる。
ｃは底面端面図で、ループの底面形状を示す。【０００９】  図２で使い方を説明をする。
ａは生卵等の対象物（９）に対して垂直方向（８）に本考案を刺し込もうとする正面図である。線状材（２）の使用本数分の頂点（５）が、並びその全てを同時に刺し込めるため、一度で生卵を潰すことができる。
ｂはあまり硬くない味噌状の対象物が突き刺したのちにループ空間（１０）内に入ること、卵の黄身だけをループ空間に取り込むことができる、撹拌部を斜めに押し付け対称り握ったりすれば形状が変化し、圧する力がます。特にループの形状について角張り（１１）を設けている。自然に曲げたループよりも、下端付近を肘を張ったように突き出すことにより、差し込むも力も増し、味噌容器の角まで届き味噌を完全に取り出すことが出来る。
ｃは角張りの少ない細めのループ形状（１２）の場合を示す。
図３ａは味噌容器（１３）内に差し込みエッジ箇所（１４）で掻き取り、引き上げた時、線状材の並びで生じるループ空間内に味噌が入っており、これを鍋内まで運び安全なところでゆする。固まりが落ちればおいかけて先端で潰していく。
ｂは攪拌部材（１）を押しつけたり握ったりすることで、変形することを示した斜視図である。【００１０】  図４は本考案を線状材（２）を三本にし小型にした場合で、わずかな量の味噌やタンブラー（１５）の中の小さな角砂糖や具材が対象物（９）となる。
ａは正面図、ｂは側面図、ｃはタンブラー内に挿入した状態の斜視図である。
使い方については前記に準じる。
【符号の説明】
【００１１】  １    攪拌部材            ２    線状材            ３    取って部
４    ループ              ５    頂点              ６    範囲
７    一平面              ８    垂直方向          ９    対象物
１０  ループ空間          １１  角張り            １２  細めのループ形状
１３  味噌容器            １４  エッジ箇所        １５  タンブラー
【図１】
0003221973.tif 000003
【図２】
0003221973.tif 000004
【図３】
0003221973.tif 000005
【図４】
0003221973.tif 000006
【手続補正書】
【提出日】平成31年4月5日(2019.4.5)
【手続補正１】
【補正対象書類名】実用新案登録請求の範囲
【補正対象項目名】全文
【補正方法】変更
【補正の内容】
【実用新案登録請求の範囲】
【請求項１】
一本の線状材の二端部を同じ向きにそろえた時、反対側に呈するループを複数重ねて、前記ループは互いに交差箇所を有さず先端に向け接触しないように離れ、かつ、前記ループを複数重ねて生じる枠内に対象物を置くことを妨げない形状に隣接させ、全体の開き具合は固形物に突き刺すことが可能な範囲の形状で、前記ループのそれぞれの先端点がほぼ一平面を示す長さに揃えられループの描く空間の最大幅付近を緩く角張らせ、前記の複数重ねた端部に置かれたループがエッジを呈したことを特徴とする撹拌部材と、複数のループ端部の線状材を束ねる箇所を持ち易い長さと堅さに加工した取って部を有することを特徴とする撹拌器。